(57)【要約】 【課題】全ローラーが同一の外径、内径を有するあるいは同一寸法形状を有する筒状部材から成るものでありながらも、各ローラーの回転に必要な作用力を容易に変更可能で、従来よりマッサージ効果に優れ、良好な使用感が得られる顔用マッサージローラーの提供。【解決手段】顔用マッサージローラーにおいて、マッサージ用ヘッド部の枠部内にそれぞれ回転可能に軸支された複数本のローラーが、筒状部材とその両端に嵌め込まれた軸部材とを有し、筒状部材の内部で両軸部材間に形成された内部空間にそれぞれ予め定められた重量を各ローラーに付与する重量調整部材が収容されているものとした。【選択図】      図１
0003145632.tif 000002
【実用新案登録請求の範囲】
【請求項１】
長尺状把手部と、該把手部の先端に設けられたマッサージ用ヘッド部とを備えた顔用マッサージローラーにおいて、
前記ヘッド部は、前記把手部に一体的に形成された枠部と、該枠部内にそれぞれ回転可能に軸支された複数本のローラーとを備え、
前記ローラーは、それぞれ筒状部材と、その両端に嵌め込まれた軸部材と、筒状部材の内部で両軸部材間に形成された内部空間を有し、該内部空間にそれぞれ予め定められた重量を各ローラーに付加する重量調整部材が収容されていることを特徴とする顔用マッサージローラー。
【請求項２】
前記重量調整部材は、金属あるいは金属を含む材質又はセラミックスからなることを特徴とする請求項１に記載の顔用マッサージローラー。
【請求項３】
前記ヘッド部は、前記枠部にその枠開口を覆うように取り付けられると共に、前記複数本のローラーとの間に空間を形成する裏蓋を備え、該空間に磁石が収納されていることを特徴とする請求項１又は２に記載の顔用マッサージローラー。
【請求項４】
前記ローラーのうちの少なくとも一つのローラーは、その内部空間に収容される重量調整部材が磁石からなることを特徴とする請求項１〜３のいずれか１項に記載の顔用マッサージローラー。
【請求項５】
前記ローラーのうちの少なくとも一つのローラーは、内部空間に収容される重量調整部材が、該内部空間内で転動可能な寸法形状を有することを特徴とする請求項１〜４のいずれか１項に記載の顔用マッサージローラー。
【請求項６】
第１〜第５のローラー五本が前記把手部の長軸方向に外側から順に並んで配置されていることを特徴とする請求項１〜５のいずれか１項に記載の顔用マッサージローラー。
【請求項７】
前記第２と第４のローラーの回転中心軸方向長さが前記第１と第５のローラーの回転中心軸方向長さより長く、前記第３のローラーの回転中心軸方向長さが前記第２と第４のローラーの回転中心軸方向長さより長いことを特徴とする請求項６に記載の顔用マッサージローラー。
【請求項８】
前記枠部は、表面側が上方へ突出するように円弧状に湾曲した左右両側縁部を有し、
この左右両縁側部は、その湾曲に沿って、互いに対向する位置に前記ローラーをそれぞれ軸支する軸受けを備えていることを特徴とする請求項１〜７のいずれか１項に記載の顔用マッサージローラー。
【考案の詳細な説明】
【技術分野】
【０００１】
本考案は、顔に対してマッサージを行う手持ちのマッサージローラーに関するものである。
【背景技術】
【０００２】
従来から、簡単に顔面のマッサージを行える手持ちのマッサージ器として、長尺状把手部を把持してその先端部のヘッド部に回転可能に設けられた複数本のローラーを顔面に押し当てて、皮膚との摩擦によりローラーを回転させながらながらヘッド部を往復移動させるものがある（例えば、特許文献１参照。）。
【０００３】
このようなマッサージ器では、複数本のローラーの顔面上での若干の摩擦と押圧転動により、皮膚に対して適度な刺激を与えながら皮下の血流やリンパ流れを促進して血行を良くしてむくみも解消するというマッサージ効果が得られるものである。
【０００４】
なお、上記のような複数本のローラーを備えたマッサージ器においては、例えば、ステンレス製の一本の長い管部材から任意の長さの筒状部材を切り出し、それぞれ切断端部の研磨面取り処理等を施した後、筒状部材の両側開口に軸部材を嵌め込んでマッサージ用のローラーとするのが最も効率的は製造方法である。即ち、この場合、各ローラは同じ外径、内径を備えた同一部材からなり、軸部材も同一形状のものをそれぞれ嵌め込むことができるため、設計、製造工程が非常に簡便である。
【０００５】
また、このように同一の管状部材から切り出して筒状部材を得る場合はそれぞれ異なる長さのものを容易に得ることができるが、その形状は長手方向に亘って均一な径のものに限られる。一方、ローラーとして外形状が略円錐状あるいは角錐状のものを用いたい場合には、個別に成形することになるため、全ローラー共通の設計で同一の寸法形状のものを大量製造することによってコストを抑える。
【０００６】
【特許文献１】実開平０６−６１２３５号公報
【考案の開示】
【考案が解決しようとする課題】
【０００７】
しかしながら、以上のような構成のローラーは、主に内部が空洞の円筒状部材から構成されるため、軽量であり、回転に必要な作用力が小さくて容易に回るため、マッサージ器のヘッド部に軸支された状態で顔の皮膚に当接させてマッサージする際にも軽く皮膚上を簡単に転動するため、マッサージ力が弱く、刺激も小さいため、軽い使用感しか得られずマッサージ効果が不十分とされる場合がある。
【０００８】
一方、マッサージ効果という点では、複数のローラー全てが同じ作用力で回転する場合よりも、回転に必要な作用力が互いに異なるローラーが並置されている場合の方が、そのローラー間で皮膚に適度な刺激が生じるため好ましい。
【０００９】
しかし、各ローラーが同一部材で同じ外径、口径を備えたものである場合、ローラーの長尺寸法を異なるものとして、その重量を変化させる方法しかないが、手持ち操作による顔用という外形寸法を大きくすることが困難なヘッド部に並んで装着されるローラー同士では、その長さの変化分も僅かしか確保できず、実質的に肌に刺激が感じられるほど各ローラー間の回転に必要な作用力に相違を生じるような重量変化を得ることはできない。また、同一管状部材からの切り出しでは得られず個別に成形する必要のある略円錐状や略角錐状の筒状部材では、コストを抑えるために全て同一寸法のものとするため、それぞれ重量に変化を持たせるために異なる寸法で成形するのは実用的ではない。
【００１０】
本考案の目的は、上記問題点に鑑み、各ローラーが設計構成の簡便で製造コストが抑えられる同一の外径、内径を有する、あるいは全く同じ寸法形状を有する筒状部材から成るものでありながらも、各ローラーの回転に必要な作用力を容易に変更することを可能とし、従来よりもマッサージ効果に優れ、良好な使用感が得られる顔用マッサージローラーを提供することにある。
【課題を解決するための手段】
【００１１】
上記目的を達成するため、請求項１に記載の考案に係る顔用マッサージローラーは、長尺状把手部と、該把手部の先端に設けられたマッサージ用ヘッド部とを備えた顔用マッサージローラーにおいて、前記ヘッド部は、前記把手部に一体的に形成された枠部と、該枠部内にそれぞれ回転可能に軸支された複数本のローラーとを備え、前記ローラーは、それぞれ筒状部材と、その両端に嵌め込まれた軸部材と、筒状部材の内部で両軸部材間に形成された内部空間を有し、該内部空間にそれぞれ予め定められた重量を各ローラーに付加する重量調整部材が収容されているものである。
【００１２】
請求項２に記載の考案に係る顔用マッサージローラーは、請求項１に記載の顔用マッサージローラーにおいて、前記重量調整部材は、金属あるいは金属を含む材質又はセラミックスからなることを特徴とするものである。
【００１３】
請求項３に記載の考案に係る顔用マッサージローラーは、請求項１又は２に記載の顔用マッサージローラーにおいて、前記ヘッド部は、前記枠部にその枠開口を覆うように取り付けられると共に、前記複数本のローラーとの間に空間を形成する裏蓋を備え、該空間に磁石が収納されていることを特徴とするものである。
【００１４】
請求項４に記載の考案に係る顔用マッサージローラーは、請求項１〜３のいずれか１項に記載の顔用マッサージローラーにおいて、前記ローラーのうちの少なくとも一つのローラーは、その内部空間に収容される重量調整部材が磁石からなることを特徴とするものである。
【００１５】
請求項５に記載の考案に係る顔用マッサージローラーは、請求項１〜４のいずれか１項に記載の顔用マッサージローラーにおいて、前記ローラーのうちの少なくとも一つのローラーは、その内部空間に収容される重量調整部材が、該内部空間内で転動可能な寸法形状を有するものである。
【００１６】
請求項６に記載の考案に係る顔用マッサージローラーは、請求項１〜５のいずれか１項に記載の顔用マッサージローラーにおいて、第１〜第５のローラー五本が前記把手部の長軸方向に外側から順に並んで配置されているものである。
【００１７】
請求項７に記載の考案に係る顔用マッサージローラーは、請求項６に記載の顔用マッサージローラーにおいて、前記第２と第４のローラーの回転中心軸方向長さが前記第１と第５のローラーの回転中心軸方向長さより長く、前記第３のローラーの回転中心軸方向長さが前記第２と第４のローラーの回転中心軸方向長さより長いことを特徴とするものである。
【００１８】
請求項８に記載の考案に係る顔用マッサージローラーは、請求項１〜７のいずれか１項に記載の顔用マッサージローラーにおいて、前記枠部は、表面側が上方へ突出するように円弧状に湾曲した左右両側縁部を有し、この左右両縁側部は、その湾曲に沿って、互いに対向する位置に前記円筒状ローラーをそれぞれ軸支する軸受けを備えていることを特徴とするものである
【考案の効果】
【００１９】
本考案による顔用マッサージローラは、把手部に一体的に形成された枠部内にそれぞれ回転可能に軸支された複数本のローラーを備えたマッサージ用ヘッド部の各ローラーが、円筒状部材とその両端に嵌め込まれた軸部材と円筒状部材の内部で両軸部材間に形成された内部空間を有し、該内部空間にそれぞれ予め定められた重量を各ローラーに付加する重量調整部材が収容されているものであるであるため、ローラー自体は、従来と同様に一本の長い管部材から切り出された同一部材の同じ外径、内径の筒状部材から成るという効率的で簡便な構成や、また個別成形によるものでも全部材の寸法形状を同一としてコストを抑えた構成においても、筒状部材の内部空間に収容した重量調整部材によって、全ローラーは各ローラーの重量をそれぞれ増加させ、回転に必要な作用力を大きくしてマッサージ力を強くすることができるので、従来より優れたマッサージ効果と使用感を実現できるという効果がある。
【００２０】
また、各ローラー毎に内部空間に収容される重量調整部材の材質、寸法、個数等を調整することによって、ローラー間で重量に差を持たせ、ローラーの回転に必要な作用力の大きさを互いに異なるように設定することができるため、マッサージの際に回転の重さの異なるローラー間の皮膚に適度な刺激を与え、さらにマッサージ効果を向上させることも可能になる。
【考案を実施するための最良の形態】
【００２１】
本考案の顔用マッサージローラーにおいては、長尺状把手部の先端に設けられたマッサージ用ヘッド部が、前記把手部に一体的に形成された枠部と、この枠部内にそれぞれ回転可能に軸支された複数本のローラーとを備え、各ローラーは、筒状部材と、その両端に嵌め込まれた軸部材と、円筒状部材の内部で両軸部材間に形成された内部空間を有し、該内部空間にそれぞれ予め定められた重量を各円筒状ローラーに付加するための重量調整部材が収容されているものである。
【００２２】
従って、ローラー自体は、従来と同様に一本の長い管部材から切り出された同一部材の同じ外径、内径の円筒状部材や外形角柱状の筒状部材から成るという効率的で簡便な構成であっても、あるいは略円錐状や略角錐状などの個別に成形するものでも全ての筒状部材の寸法形状を同一としてコストを抑えた構成においても、筒状部材の内部空間に収容した重量調整部材によって、全ローラーは各ローラーの重量を増加させ、回転に必要な作用力を大きくすることができる。
【００２３】
これにより、マッサージを行う際も、従来の容易に回転して使用感も軽い場合に比べて回転が重く、より良好なマッサージ効果を得ることができ、その使用感も良好なマッサージ効果を実感しやすいものとなる。
【００２４】
さらに、収容する重量調整部材の材質や大きさ、個数を調整することによって、ローラー間で重量に変化を持たせることも可能となるため、回転の重さの異なるローラーの間で皮膚に適度な刺激をさらに与えることができ、より優れたマッサージ効果を得ることができる。
【００２５】
なお重量調整部材自体は、効果的にローラーの重量を増加させるために比較的比重が大きく且つ、使用状態においては衝突が生じる可能性があるため、脆くなく安価な金属製あるいは金属を含む材質が望ましい。例えば、ローラーを構成する筒状部材と同様のステンレス製のものやそれぞれ所望の重量となる寸法形状に加工し易い鉄、亜鉛、銅、錫、金、銀、白金等を用いることができる。また、ローラー間で重量の差を設定する際には、同じ材質の部材で個数や寸法を変更することによって調整するだけでなく、例えばセラミックス等の比較的軽量の材質から成る重量調整部材を用いることによっても調整できる。
【００２６】
さらにローラーの回転を重くしてより強いマッサージ効果を得るためには、磁石をヘッド部に装着する構成が簡便である。ローラーが従来と同様にステンレス製等の金属からなるものであり、また内部空間に収容される重量調整部材も金属製であれば、磁力によりローラーの回転をより重くすることができる。この場合、ヘッド部に、枠部の開口を覆うように裏蓋を取り付け、該裏蓋と複数本のローラーとの間に空間を形成する構成とすれば、この空間に磁石を収納することができる。
【００２７】
なお、このような裏蓋と各ローラーとの間に空間を形成する場合、裏蓋側に磁石を固定保持するための保持部材がローラーとの間に介在する構成とした場合には、特にローラーの回転を最も重く設定したものに関して、該磁石の磁力作用が保持部材の介在で不十分となることが考えられる。そこで少なくともそのような磁力作用が不十分とされるローラーについては、重量調整部自体も磁石で構成すればこの作用を充分強くして所望の回転の重さを得ることができる。
【００２８】
また、顔面マッサージを行うと、使用者によっては、ローラーが皮膚上を回転する際に耳に響く摩擦音が不快な音として感じられる場合があるが、ローラーのうちの少なくとも一つについて内部空間に収容される重量調整部材が該内部空間内で転動可能な寸法形状を有するものにすることによって、重量調整部材の軽妙な転がり衝突音がこの不快な摩擦音を軽減し、従来より良好な使用感を得ることができる。
【００２９】
転動可能な重量調整部材を収容するローラーとしては、例えば設定された回転の重さが比較的小さくて、上記のようにヘッド部に磁石が装着されている場合には、その磁力作用が小さいローラーを選択するのが簡便である。例えば、各ローラーのうち、ヘッド部の中央部に配置されるローラーを最も重い重量設定とし、両端に配置されるローラーをそれより軽い重量設定とするばあい、その両端のローラーに収容される重量調整部材を転動可能なものとする構成が挙げられる。
【００３０】
本考案においてヘッド部に配置されるローラーの本数は、必ずしも特定の本数に限定するものではなく適宜設定すればよい。例えば、各ローラーの外径は顔面の細かい凹凸に沿って当接しやすい寸法である約７ｍｍ程度とするの好適である。一方、充分なマッサージ感を得られるにはある程度以上の皮膚当接面積の確保が必要であるが、顔面皮膚上の移動が困難になるほど広くてもマッサージ効果が低減してしまう。これらを鑑み、また本考案の顔用マッサージローラーが手持ちで携帯しやすいことを前提としたものであることから、前記のような外径のローラーにおいては、５本配置が最適である。
【００３１】
このような５本配置の場合、第１〜第５のローラーの回転中心軸方向長さは全て揃えても良いがこれに限るものではない。例えば、真ん中の第３のローラーの回転中心軸方向長さを最も長くし、その両隣の第２と第４のローラーの回転中心軸方向長さをその次に長くし、両端の第１と第５のローラーの回転中心軸方向長さを最も短いものとすることによって、ヘッド部の皮膚に当接される側の表面領域のうち、最もマッサージ効果に優れた中央部領域、即ち第３のローラーと第２、第４のローラーによる皮膚接触領域を広く確保することができる。
【００３２】
また、凹凸曲面である顔面に当接するヘッド部の表面は、平坦であるよりも上方に突出する曲面をなす構成とした方が、全ローラーが顔面により均等に押圧し易くなって全ローラーの良好な回転マッサージ状態が得られる。具体的には、枠部のローラーを軸支する左右両側縁部を表面側が上方へ突出するように円弧状に湾曲させ、各ローラーの軸受けをその湾曲に沿って設ければ、全ローラーの頂部も該湾曲と同心の円弧上に並び、この全ローラの頂部からなる実質的なヘッド部の表面は上方に湾曲した曲面となる。
【００３３】
なお、本考案で云う筒状部材とは、一般的な円筒形状のものに限らず、各種角柱形状のものや、また外形が略円錐状や略角錐状のものなど、ヘッド部に回転可能に軸支することができ、且つ内部に重量調整部材を収容できる内部空間が形成できる筒状のものを広く含む。
【実施例】
【００３４】
本考案の一実施例による顔用マッサージローラーを図１及び図２の概略構成図に示す。図１（ａ）は本顔用マッサージローラーの全体平面図、（ｂ）は本顔用マッサージローラーのローラーの断面図である。図２（ａ）は図１の顔用マッサージローラーの側面図であり、図２（ｂ）は図１（ａ）のＡ−Ａ断面図である。
【００３５】
本顔用マッサージローラー１は、主に長尺状の把手部２とその先端に設けられたマッサージ用ヘッド部３とから構成されている。ヘッド部３には、把手部２から一体に形成された枠部４の左右両側縁部（４ａ，４ｂ）間に、第１と第２と第３と第４と第５のローラー（５，６，７，８，９）が回転可能の軸支されており、その配置は、把手部２の長軸Ｘの方向に外側から順に並んでいる。
【００３６】
第１〜第５のローラー（５，６，７，８，９）は、同一のステンレス製管部材から切り出され、両端部の外周角縁が全周に亘りＣ面取りされて成る円筒状部材１０と、その両側に嵌合固定されたプラスチック製の軸部材１１とから構成されるものである。各円筒状部材１０の表面には滑り止めとして浅く細かい綾目（ピット０．５ｍｍ程度）のローレット加工を施している。
【００３７】
軸部材１１は、円筒状部材１０の両側から円筒内に挿入嵌合される筒状嵌合部１２と軸突起１４とこれら両者の間の鍔部１３とが一体成形されたものである。筒状嵌合部１２は、先端部が円筒状部材１０の筒内に挿入されやすいように若干縮径されていると共にその後側（鍔部１３側）の胴体は円筒内径より若干大きい外径となっている。
【００３８】
これにより、先端部を円筒内に挿入した後、胴体の円筒内への挿入はきつくなるが、プラスチックの可撓性により強制的に押し込むことにより筒状嵌合部１２の挿入嵌合はなされる。従って、筒状嵌合部１２の胴体がローラー円筒内壁面を強く押圧することによって軸部材１１の嵌合状態は強固となり、外れることはない。
【００３９】
また、各ローラー用の円筒状部材１０は、同じ外径及び内径を有するものであるため、それぞれローラーの長尺寸法が異なっていても軸部材１１は全てに共通の形状のものを用いることができる。各ローラー（５，６，７，８，９）は、それぞれ両端の軸突起１４が枠部４の左右両側縁部（４ａ，４ｂ）に形成された凹状軸受けに緩挿されることによって回転可能に軸支されている。また各ローラー間には、隣合うローラー同士が回転時に衝突することのないように僅かな隙間が確保されている。
【００４０】
なお、第１〜第５のローラー（５，６，７，８，９）の回転中心軸方向の長さを全て揃えるのではなく、中央に配置される第３のローラ７を最も長いものとし、その両隣の第２と第４のローラー（６，８）を次に長く、両端の第１と第５のローラー（５，９）を最も短くした。これによって、ヘッド部３の表面領域のうち中央部領域の面積を広くし、適度な皮膚当接面積に相当したものとした。
【００４１】
またヘッド部３は、枠部４の左右両側縁部（４ａ，４ｂ）が上方に突出するように湾曲したものである。従って、第１〜第５のローラー（５，６，７，８，９）はこの湾曲に沿って軸支されるため、各ローラーの頂点を結ぶ曲線Ｚ１が枠部４の上方に突出する円弧状となる。これにより、ヘッド部３の表面は実質的に曲面となり、該曲面は顔面の大まかな凹凸に対して全体的により良好に沿い、マッサージ中に顔面から浮く感覚はほとんどない。従って全ローラーが常に同時に押圧転動される状態となる。
【００４２】
本実施例においては、各ローラー（５，６，７，８，９）には、円筒状部材１０の筒内の両側軸部材１１の間に形成された内部空間１５にそれぞれステンレス等の金属から成る重量調整部材１６が収容されており、それぞれ収容される重量調整部材１６の寸法形状や個数の調整によって各ローラー（５，６，７，８，９）毎に設定された重量を達成している。
【００４３】
従って、ローラー自体は、従来と同様に一本の長い管部材から切り出された同一部材の同じ外径、内径の円筒状部材１０から成るという効率的で簡便な構成であっても、円筒状部材１０の内部空間１５に収容した重量調整部材１６によって、各ローラーの重量は増加され、回転に必要な作用力が大きくなっている。これによって、マッサージの際には、従来の容易に回転して使用感も軽い場合に比べてローラーの回転が重く、より強いマッサージ力を得ることができ、その良好なマッサージ効果を実感できる使用感が得られる。
【００４４】
また、本実施例においては、ローラーの回転をさらに重くしてマッサージ効果を向上させるため、磁石２２を装着するものとした。ヘッド部３の裏面を覆うように枠部４に裏蓋２０を取り付け、該裏蓋２０の内側の第１〜５のローラー（５，６，７，８，９）との間に磁石２２が装着できる収納空間２１を形成する構成とした。また、この収納空間２１は、磁石２２の装着以外にも、温熱効果を与える赤外線放射セラミックス２３等を収納してさらなるマッサージ効果の向上を図ることができる。
【００４５】
なお、以上の実施例では、ステンレス製の重量調整部材を用いた場合を示したが、本考案においてはこれに限定されるものではなく、セラミックス、フェライト磁石等の磁石、その他各種金属あるいは金属を含む素材など、様々なものが採用可能である。また、各ローラー毎に異なる重量設定を行った場合、用いる重量調整部材の個数や寸法形状だけでなく、比重の異なる別材質のものを適宜選択組み合わせてそれぞれ設定された重量を達成しても良い。
【００４６】
また、全ローラーのうちの一部、例えば上記実施例では磁石からの磁力作用が小さい両側のローラーについて、重量調整部材を、球状など転動可能な寸法形状にしてマッサージの際にローラーの回転移動に伴って内部空間内で転がる構成としてもよい。この場合、重量調整部材の軽妙な転がり衝突音がこの不快と思われる摩擦音を軽減して、従来より良好な使用感を与えることができる。
【００４７】
以上の実施例においては、円筒状部材から構成される円筒状ローラーとした場合を示したが、本考案を特にローラー形状を限定するものではない。例えば、円筒状以外に日、外形が三角柱〜六角柱など、各角柱形状の外形を持つ筒状部材や、略円錐状や略角錐状の外形を有する筒状部材から構成されるものなど、ヘッド部に回転可能に軸支され、内部に重量調整部材を収容できる内部空間が形成される筒状のものであれば、広く採用可能である。
【図面の簡単な説明】
【００４８】
【図１】本考案の一実施例による顔用マッサージローラーを示す概略構成図であり、（ａ）は本顔用マッサージローラーの全体を示す平面図、（ｂ）は各ローラーの構成を示す概略断面図である。
【図２】（ａ）は図１の顔用マッサージローラーの全体側面図、（ｂ）は図１のＡ−Ａ断面図である。
【符号の説明】
【００４９】
１：顔用マッサージローラー
２：把手部
Ｘ：把手部の長軸
３：ヘッド部
４：枠部
４ａ，４ｂ：左右両側縁部
５：第１のローラー
６：第２のローラー
７：第３のローラー
８：第４のローラー
９：第５のローラー
１０：円筒状部材
１１：軸部材
１２：筒状嵌合部
１３：鍔部
１４：軸突起
１５：内部空間
１６：重量調整部材
２０：裏蓋
２１：収納空間
２２：磁石
２３：セラミックス
【図１】
0003145632.tif 000003
【図２】
0003145632.tif 000004